(57)【要約】【課題】  非接触カードの不正読み取り等の防止設定と、使用者による非接触カードの正規使用設定との切り替えを、携帯通信端末の電源のオンまたはオフに関わらず行うことが可能な携帯通信端末の提供。【解決手段】  非接触ＩＣカード部４０内のアンテナ回路２と非接触ＩＣカード制御・メモリ部３との電気的接続を、機械式スイッチ１により制御する。機械式スイッチ１は携帯電話１０の電源オン・オフに依存しないため、携帯電話１０の電源オン・オフに関わらず上記電気的接続を制御することが可能となる。【選択図】      図１
2007134838.tif 000002
【特許請求の範囲】
【請求項１】
外部装置と非接触でデータの送受信を行う非接触カードを搭載する携帯通信端末であって、
前記非接触カードはアンテナ回路と、非接触カード制御・メモリ部と、前記アンテナ回路と前記非接触カード制御・メモリ部とを電気的に接続または切断する機械式スイッチとを含むことを特徴とする携帯通信端末。
【請求項２】
前記機械式スイッチは前記携帯通信端末の電源オンまたはオフに依存しないことを特徴とする請求項１記載の携帯通信端末。
【請求項３】
前記携帯通信端末は電話機能を制御する制御部を含み、前記制御部はさらに前記非接触カードの非接触カード制御・メモリ部を制御することを特徴とする請求項１または２記載の携帯通信端末。
【請求項４】
前記携帯通信端末は携帯電話であることを特徴とする請求項１から３いずれかに記載の携帯通信端末。
【請求項５】
携帯通信端末に搭載され、外部装置と非接触でデータの送受信を行う非接触カードであって、
前記非接触カードはアンテナ回路と、非接触カード制御・メモリ部と、前記アンテナ回路と前記非接触カード制御・メモリ部とを電気的に接続または切断する機械式スイッチとを含むことを特徴とする非接触カード。
【請求項６】
前記機械式スイッチは前記携帯通信端末の電源オンまたはオフに依存しないことを特徴とする請求項５記載の非接触カード。
【請求項７】
前記携帯通信端末は電話機能を制御する制御部を含み、前記制御部はさらに前記非接触カードの非接触カード制御・メモリ部を制御することを特徴とする請求項５または６記載の非接触カード。
【請求項８】
前記携帯通信端末は携帯電話であることを特徴とする請求項５から７いずれかに記載の非接触カード。
【発明の詳細な説明】
【技術分野】
【０００１】
本発明は、携帯通信端末およびその端末に搭載する非接触カードに関し、特に非接触カードの不正読み取り防止機能を備えた携帯通信端末およびその端末に搭載する非接触カードに関する。
【背景技術】
【０００２】
外部装置と非接触でデータの送受信を行う非接触カード、例えば非接触ＩＣ（ｉｎｔｅｇｒａｔｅｄ  ｃｉｒｃｕｉｔ）カードは知られている。また、この非接触カードを搭載した携帯通信端末、例えば携帯電話も知られている。
【０００３】
この非接触カードは外部装置とデータの送受信を行う際に外部装置から電源の供給を受けるよう構成されているため、非接触カード内に電源を設ける必要はないのが一般的である。
【０００４】
したがって、一例として携帯電話に搭載された非接触カードと外部装置との通信は、携帯電話の電源が入った状態（以下、オンまたはオン状態と記す）はもとより携帯電話の電源が切れた状態（以下、オフまたはオフ状態と記す）でも行うことが可能である。
【０００５】
したがって、従来の携帯電話に搭載された非接触カードは常に内部データを不正読み取りされる等の危険性を有しているといえる。
【０００６】
一方、この種の不正読み取りを防止する機能を備えた携帯電話の一例が知られている。図３は従来の非接触カードを搭載した携帯電話の一例の構成図である。
【０００７】
同図を参照すると、従来の携帯電話２１は非接触ＩＣカード部４と、制御部１１と、通信部１２と、表示部１３と、入力部１４とを含んで構成される。
【０００８】
また、非接触ＩＣカード部４はアンテナ回路２と、非接触ＩＣカード制御・メモリ部３と、電子スイッチ２２とを含んで構成される。
【０００９】
一方、電子スイッチ２２を含まず、アンテナ回路２と非接触ＩＣカード制御・メモリ部３とが直接接続される従来例も参考のため同図に併記している。
【００１０】
まず、非接触ＩＣカード部４の動作について説明する。非接触ＩＣカード部４は電子スイッチ２２がオンの場合にアンテナ回路２と非接触ＩＣカード制御・メモリ部３が電気的に接続され、オフの場合はアンテナ回路２と非接触ＩＣカード制御・メモリ部３が電気的に切り離されるよう構成されている。
【００１１】
また、電子スイッチ２２がオンの場合、携帯電話２１とは別個に設けられたリーダー／ライター３１と非接触ＩＣカード４内の非接触ＩＣカード制御・メモリ部３とがアンテナ回路２を介して通信可能となり、リーダー／ライター３１からのデータを非接触ＩＣカード制御・メモリ部３に書き込むことおよび非接触ＩＣカード制御・メモリ部３に格納されたデータをリーダー／ライター３１が読み出すことが可能となる。また、この場合、リーダー／ライター３１から非接触ＩＣカード部４に電源が供給される。
【００１２】
一方、電子スイッチ２２がオフの場合、リーダー／ライター３１と非接触ＩＣカード部４内の非接触ＩＣカード制御・メモリ部３との通信は不可となる。
【００１３】
次に、携帯電話２１の電話機能について説明する。通信部１２は図示しない電話用アンテナを介して他の電話機と通信する。表示部１３は通信に必要な情報を表示する。入力部１４は使用者がデータを入力する部位であり、一例としてキーボードである。制御部１１は通信部１２、表示部１３および入力部１４を制御するのみならず非接触ＩＣカード部４内の非接触ＩＣカード制御・メモリ部３をも制御する。
【００１４】
すなわち、制御部１１は通信部１２、表示部１３および入力部１４を制御して携帯電話２１の電話機能を制御するとともに、非接触ＩＣカード制御・メモリ部３からのデータ入力および非接触ＩＣカード制御・メモリ部３へのデータ出力をも制御するよう構成されている。
【００１５】
ここで、電子スイッチ２２が設けられている理由は、使用者本人が非接触ＩＣカード部４の使用意思を持たないときに、悪意を持った他人に、外部から知らぬ間に非接触ＩＣカード部４内のデータを読み取られること等を防止するためである。
【００１６】
すなわち、電子スイッチ２２をオフにしておけば、アンテナ回路２が非接触ＩＣカード制御・メモリ部３と電気的に切り離されるため、悪意を持った他人が不正に非接触ＩＣカード制御・メモリ部３からのデータを読み取ろうとしても、あるいは不正に非接触ＩＣカード制御・メモリ部３へデータを書き込もうとしても、これを行うことができない。よって、これにより悪意を持った他人による非接触ＩＣカード部４の不正読み取りおよび不正書き込みを防止することが可能となる。
【００１７】
一方、携帯電話２１の使用者本人は前述の電子スイッチ２２をオンにしている間だけアンテナ回路２が非接触ＩＣカード制御・メモリ部３と電気的に接続されるので、非接触ＩＣカード制御・メモリ部３と外部のリーダー／ライター３１との通信を行うことが可能となる。
【００１８】
ところで、接触および非接触両方式を備えたＩＣカードを搭載した携帯可能電子装置が特許文献１に開示されている。これは、接触方式のＩＣカードを用いるかあるいは非接触方式のＩＣカードを用いるかを切り替えスイッチで自動的に切り替えるようにしたものであり、混信を防止することを目的としている。
【００１９】
他方、非接触方式のカード単品の発明で、非接触カード内の通信部と外部との不正な通信を防止するために、通信部とアンテナとの接続を切り離すスイッチを設けた非接触カードが特許文献２に開示されている。
【００２０】
【特許文献１】特開２０００−３２２５４４号公報（段落００１９、００２０、００３０、図１）
【特許文献２】特開平１１−０８５９２４号公報（段落００１４、図２）
【発明の開示】
【発明が解決しようとする課題】
【００２１】
しかし、図３に示す電子スイッチ２２は、トランジスタ等の能動素子を用いたスイッチであるため、その電子スイッチ２２を動作させるためには別途電源が必要であり、本従来例では携帯電話２１の電源がオンの場合に携帯電話２１から電子スイッチ２２へ電源を供給している。したがって、携帯電話２１の電源がオフの場合には電子スイッチ２２へ電源が供給されない。電子スイッチ２２に電源が供給されない場合、電子スイッチ２２を制御することはできない。
【００２２】
すなわち、携帯電話２１の電源がオフの場合は電子スイッチ２２がオフとなるため、悪意を持った他人による非接触ＩＣカード部４の不正読み取りおよび不正書き込みを防止することは可能であるが、その反面、使用者本人が非接触ＩＣカード部４の使用意思を持ったとしても、電子スイッチ２２を即座にオンにすることができないため、非接触ＩＣカード部４を即座に使用できないという欠点がある。これは、携帯電話の電源オフが義務付けられた病院内等において起こり得る事態である。
【００２３】
なお、電子スイッチ２２をオンにするためには、一例として、まず携帯電話２１の電源をオンにし、次に表示部１３に示されるメニュー画面からオフをオンに切り替える。
【００２４】
すなわち、非接触ＩＣカード部４の不正読み取り等の防止設定と、使用者による非接触ＩＣカード部４の正規使用設定との切り替えは、携帯電話２１の電源がオンの場合にしかできないという欠点があった。
【００２５】
一方、特許文献１開示の発明はスイッチを用いているとはいえ、そのスイッチは接触方式のＩＣカードを用いるかあるいは非接触方式のＩＣカードを用いるかを切り替える切り替えスイッチであり、ＩＣカード内の非接触ＩＣカード制御・メモリ部とアンテナとの接続を制御する本発明の断続スイッチとはその目的、構成、効果のいずれもが全く相違する。
【００２６】
また、特許文献２開示の発明は非接触方式のカード単品として見た場合、本発明と共通するが、本発明はこれを携帯通信端末に搭載した場合に顕著な効果を奏するものであり、このような単品の非接触方式のカードに基づき本発明を想到することは困難である。
【００２７】
そこで本発明の目的は、携帯通信端末およびその端末に搭載する非接触カードにおいて、非接触カードの不正読み取り等の防止設定と、使用者による非接触カードの正規使用設定との切り替えを、携帯通信端末の電源のオンまたはオフに関わらず行うことが可能な携帯通信端末およびその端末に搭載する非接触カードを提供することにある。
【課題を解決するための手段】
【００２８】
前記課題を解決するために本発明による携帯通信端末は、外部装置と非接触でデータの送受信を行う非接触カードを搭載する携帯通信端末であって、前記非接触カードはアンテナ回路と、非接触カード制御・メモリ部と、前記アンテナ回路と前記非接触カード制御・メモリ部とを電気的に接続または切断する機械式スイッチとを含むことを特徴とする。
【００２９】
また、本発明による非接触カードは、携帯通信端末に搭載され、外部装置と非接触でデータの送受信を行う非接触カードであって、前記非接触カードはアンテナ回路と、非接触カード制御・メモリ部と、前記アンテナ回路と前記非接触カード制御・メモリ部とを電気的に接続または切断する機械式スイッチとを含むことを特徴とする。
【００３０】
本発明によれば、携帯通信端末の電源オンまたはオフに依存しない機械式スイッチを用いて、非接触カードのアンテナ回路と、非接触カード制御・メモリ部との電気的接続を制御する。
【発明の効果】
【００３１】
本発明によれば、上記構成を含むことにより、非接触カードの不正読み取り等の防止設定と、使用者による非接触カードの正規使用設定との切り替えを、携帯通信端末の電源のオンまたはオフに関わらず行うことが可能となる。
【００３２】
具体的には、第１の効果は非接触ＩＣカード搭載の携帯通信端末において、専用の機械式スイッチを設け、非接触ＩＣカードの外部との通信機能をスイッチを押している間だけ使用できるようにすることで、外部から本人が知らぬ間に内部情報を読み取られてしまうことを防止できることである。
【００３３】
第２の効果は専用の機械式スイッチを設けているので、簡便な操作性で即時に非接触ＩＣカードの外部との通信機能のオン、オフを切り替えられることである。
【００３４】
第３の効果は機械式スイッチにて機能を実現するので、非接触ＩＣカードがそのまま使うことができる携帯電話本体の電源がオフの時でも、非接触ＩＣカードの外部との通信機能のオン、オフを、携帯電話を一度も立ち上げることなく、即時に切り替えられることである。
【発明を実施するための最良の形態】
【００３５】
以下、本発明の実施の形態について添付図面を参照しながら説明する。図１は本発明に係る携帯通信端末の一例の構成図である。なお、図３と同様の構成部分については同一番号を付し、その説明を省略する。
【００３６】
同図を参照すると、非接触カードを搭載した携帯通信端末の一例が示されている。また、携帯通信端末の一例として携帯電話が示され、非接触カードの一例として非接触ＩＣ（ｉｎｔｅｇｒａｔｅｄ  ｃｉｒｃｕｉｔ）カードが示されている。
【００３７】
同図を参照すると、携帯電話１０は非接触ＩＣカード部４０と、制御部１１と、通信部１２と、表示部１３と、入力部１４とを含んで構成される。
【００３８】
また、非接触ＩＣカード部４０はアンテナ回路２と、非接触ＩＣカード制御・メモリ部３と、機械式スイッチ１とを含んで構成される。
【００３９】
この機械式スイッチ１は電子スイッチ２２（図３参照）と異なり、電源を別途供給する必要はない。すなわち、機械式スイッチ１のボタン１ａを押下している間だけスイッチが閉じ（オンとなり）、それ以外はスイッチが開く（オフとなる）よう構成されている。したがって、携帯電話１０の電源のオンまたはオフに関わらず機械式スイッチ１を動作させることが可能である。
【００４０】
まず、非接触ＩＣカード部４０の動作について説明する。非接触ＩＣカード部４０は機械式スイッチ１がオン（ＯＮ）の場合にアンテナ回路２と非接触ＩＣカード制御・メモリ部３が電気的に接続され、オフ（ＯＦＦ）の場合はアンテナ回路２と非接触ＩＣカード制御・メモリ部３が電気的に切り離されるよう構成されている。
【００４１】
また、機械式スイッチ１がオンの場合、携帯電話１０とは別個に設けられたリーダー／ライター３１と非接触ＩＣカード４０内の非接触ＩＣカード制御・メモリ部３とがアンテナ回路２を介して通信可能となり、リーダー／ライター３１からのデータを非接触ＩＣカード制御・メモリ部３に書き込むことおよび非接触ＩＣカード制御・メモリ部３に格納されたデータをリーダー／ライター３１が読み出すことが可能となる。また、この場合、リーダー／ライター３１から非接触ＩＣカード部４０に電源が供給されるよう構成されている。
【００４２】
一方、機械式スイッチ１がオフの場合、リーダー／ライター３１と非接触ＩＣカード部４０内の非接触ＩＣカード制御・メモリ部３との通信は不可となる。
【００４３】
次に、携帯電話１０の電話機能について説明する。通信部１２は図示しない電話用アンテナを介して他の電話機と通信する。表示部１３は通信に必要な情報を表示する。入力部１４は使用者がデータを入力する部位であり、一例としてキーボードである。制御部１１は通信部１２、表示部１３および入力部１４を制御するのみならず非接触ＩＣカード部４０内の非接触ＩＣカード制御・メモリ部３をも制御する。
【００４４】
すなわち、制御部１１は通信部１２、表示部１３および入力部１４を制御して携帯電話１０の電話機能を制御するとともに、非接触ＩＣカード制御・メモリ部３からのデータ入力および非接触ＩＣカード制御・メモリ部３へのデータ出力をも制御するよう構成されている。
【００４５】
ここで、機械式スイッチ１が設けられている理由は、悪意を持った他人から無線によりアンテナ回路２を介して、不正に非接触ＩＣカード制御・メモリ部３からのデータを読み取られることおよび非接触ＩＣカード制御・メモリ部３に不正なデータが書き込まれるのを防止するためである。
【００４６】
すなわち、機械式スイッチ１をオフ（ボタン１ａを押下しない状態）にしておけば、アンテナ回路２が非接触ＩＣカード制御・メモリ部３と電気的に切り離されるため、悪意を持った他人が不正に非接触ＩＣカード制御・メモリ部３からのデータを読み取ろうとしても、あるいは不正に非接触ＩＣカード制御・メモリ部３へデータを書き込もうとしても、これを行うことができない。よって、これにより悪意を持った他人による非接触ＩＣカード部４の不正読み取りおよび不正書き込みを防止することが可能となる。
【００４７】
一方、携帯電話１０の使用者本人は前述の機械式スイッチ１をオン（ボタン１ａを押下する状態）にしている場合だけアンテナ回路２が非接触ＩＣカード制御・メモリ部３と電気的に接続されるので、非接触ＩＣカード制御・メモリ部３と外部のリーダー／ライター３１との通信を行うことが可能となる。
【００４８】
すなわち、本発明では機械式スイッチ１を用いているため、携帯電話１０の電源がオフの状態でも機械式スイッチ１をオフにすることができ、これにより携帯電話１０の電源がオフの状態でも悪意を持った他人による非接触ＩＣカード部４０の不正読み取りおよび不正書き込みを防止することが可能となる。
【００４９】
一方、本発明では機械式スイッチ１を用いているため、携帯電話１０の電源がオフの状態でも機械式スイッチ１をオンにすることができ、これにより携帯電話１０の電源がオフの状態でも非接触ＩＣカード制御・メモリ部３と外部のリーダー／ライター３１との通信を行うことが可能となる。
【００５０】
これに対し、機械式スイッチ１をオフにして、アンテナ回路２と非接触ＩＣカード制御・メモリ部３とを電気的に切り離した状態にしていた場合でも、携帯電話１０の電源をオンにさえしておけば、制御部１１を介して非接触ＩＣカード制御・メモリ部３から非接触ＩＣカード部４０の内容、たとえば電子マネー残高、会員証情報等を閲覧することが可能となる。すなわち、悪意を持った他人による非接触ＩＣカード部４０の不正読み取り等の防止設定を行った状態で、電子マネー残高、会員証情報等を閲覧することが可能となる。
【００５１】
図２は本発明に係る携帯通信端末に搭載可能な非接触カードの一例の構成図である。なお、図１と同様の構成部分には同一番号を付し、その説明を省略する。同図を参照すれば明らかなように、非接触カード４０の構成は図１と同様である。この非接触カード４０が単品の非接触カード４０と異なる点は、携帯電話１０に搭載が可能に構成されている点である。
【００５２】
すなわち、本非接触カード部４０を携帯電話１０に搭載することにより、非接触カード部４０の不正読み取り等の防止設定と、使用者による非接触カード部４０の正規使用設定との切り替えを、携帯電話１０の電源のオンまたはオフに関わらず行うことが可能となる。
【図面の簡単な説明】
【００５３】
【図１】本発明に係る携帯通信端末の一例の構成図である
【図２】本発明に係る携帯通信端末に搭載可能な非接触カードの一例の構成図である。
【図３】従来の非接触カードを搭載した携帯通信端末の一例の構成図である。
【符号の説明】
【００５４】
１  機械式スイッチ
２  アンテナ回路
３  非接触ＩＣカード制御・メモリ部
１０  携帯電話
１１  制御部
１２  通信部
１３  表示部
１４  入力部
４０  非接触ＩＣカード部
【図１】
2007134838.tif 000003
【図２】
2007134838.tif 000004
【図３】
2007134838.tif 000005